(57)【要約】【課題】安価かつ効率よく顧客のランクに応じた優待価格を顧客に通知できる優待情報表示装置及び優待情報表示プログラムを提供する。【解決手段】優待情報表示装置は、会員に固有に割り当てられる会員ＩＤ及び商品に固有に割り当てられる商品コードを入力又は出力する入出力部と、外部装置と通信を行う通信部と、会員ＩＤごとに顧客のランクを格納する会員データベース及び商品ごとにランクごとの優待情報を格納する商品データベースを備えるサーバに、入出力部から入力した会員ＩＤを送信し、サーバが前記会員ＩＤに基づいて会員データベースから検索したランクを受信し、商品コード及びランクをサーバに送信し、サーバが受信した商品コードとランクに基づいて商品データベースから検索した優待情報を受信し、受信した優待情報を入出力部に出力する制御部と、を備える。【選択図】図１
2014115759.tif 000002
【特許請求の範囲】
【請求項１】
会員に固有に割り当てられる会員ＩＤ及び商品に固有に割り当てられる商品コードを入力又は出力する入出力部と、
外部装置と通信を行う通信部と、
前記会員ＩＤごとに顧客のランクを格納する会員データベース及び商品ごとにランクごとの優待情報を格納する商品データベースを備えるサーバに、前記入出力部から入力した会員ＩＤを送信し、前記サーバが前記会員ＩＤに基づいて前記会員データベースから検索した前記ランクを受信し、前記商品コード及び前記ランクを前記サーバに送信し、前記サーバが受信した前記商品コードと前記ランクに基づいて前記商品データベースから検索した前記優待情報を受信し、受信した前記優待情報を前記入出力部に出力する制御部と、
を備える優待情報表示装置。
【請求項２】
前記入出力部は、
前記制御部が出力した前記優待情報を表示する表示部を含む請求項１記載の優待情報表示装置。
【請求項３】
前記優待情報は、
優待価格を含む請求項２記載の優待情報表示装置。
【請求項４】
前記制御部は、
前記優待価格とともに前記商品の画像を前記表示部に表示する請求項３記載の優待情報表示装置。
【請求項５】
コンピュータを
会員に固有に割り当てられる会員ＩＤ及び商品に固有に割り当てられる商品コードを入力又は出力する入出力手段と、
外部装置と通信を行う通信手段と、
前記会員ＩＤごとに顧客のランクを格納する会員データベース及び商品ごとにランクごとの優待情報を格納する商品データベースを備えるサーバに、前記入出力手段から入力した会員ＩＤを送信し、前記サーバが前記会員ＩＤに基づいて前記会員データベースから検索した前記ランクを受信し、前記商品コード及び前記ランクを前記サーバに送信し、前記サーバが受信した前記商品コードと前記ランクに基づいて前記商品データベースから検索した前記優待情報を受信し、受信した前記優待情報を前記入出力手段に出力する優待情報表示手段と、
として機能させるための優待情報表示プログラム。
【発明の詳細な説明】
【技術分野】
【０００１】
本発明の実施形態は、優待情報表示装置及び優待情報表示プログラムに関する。
【背景技術】
【０００２】
商品の販売やサービスの提供に際し、販売促進の目的において特定の顧客に優待サービスを行うことはよく行われる。この優待サービスも、顧客にランクを付けて特定のランクの顧客にはより好条件にて販売するサービスがある。
【０００３】
このような優待サービスは、通常サーバによって顧客ごとに顧客のランクが管理される。顧客は会員カードを販売店に提示し、ＰＯＳ端末などの金銭登録機がこの会員カードからカードリーダによって会員ＩＤを読み取り、この会員ＩＤに基づいてサーバに会員ランクを問い合わせる。サーバは会員のランクと、優待の販売条件、例えば商品ごとの優待価格を金銭登録機に送信し、金銭登録機はこの優待価格に基づいて清算を行う。
【０００４】
しかし、このような流れにおいては、顧客は自分の優待価格を購入前に知ることができない。
【０００５】
この点に関し、例えば商品の棚に会員ランクごとの優待価格をポップ広告などにより表示する方法もあるが、会員ランクの種類が多くなるとポップ広告が大きくなりすぎてしまう。
【０００６】
また、棚ラベルに無線タグリーダライタを設置し、顧客の携帯電話の無線タグを読み、サーバに優待価格を問い合わせて顧客の携帯電話の無線タグに書き込み、この優待価格を顧客の携帯電話に表示させる技術が提案されている。
【０００７】
しかし、棚ラベルにリーダライタを設置すると、棚ラベルのコストが高いものとなってしまう。
【先行技術文献】
【特許文献】
【０００８】
【特許文献１】特開２００８−１４６４７８号公報
【発明の概要】
【発明が解決しようとする課題】
【０００９】
従って、安価かつ効率よく顧客のランクに応じた優待価格を顧客に通知できる優待情報表示装置及び優待情報表示プログラムが求められている。
【課題を解決するための手段】
【００１０】
上記の課題を解決するために、本発明の一実施形態は、会員に固有に割り当てられる会員ＩＤ及び商品に固有に割り当てられる商品コードを入力又は出力する入出力部と、外部装置と通信を行う通信部と、会員ＩＤごとに顧客のランクを格納する会員データベース及び商品ごとにランクごとの優待情報を格納する商品データベースを備えるサーバに、入出力部から入力した会員ＩＤを送信し、サーバが前記会員ＩＤに基づいて会員データベースから検索したランクを受信し、商品コード及びランクをサーバに送信し、サーバが受信した商品コードとランクに基づいて商品データベースから検索した優待情報を受信し、受信した優待情報を入出力部に出力する制御部と、を備える優待情報表示装置を提供する。
【図面の簡単な説明】
【００１１】
【図１】優待情報表示装置の構成を示すブロック図である。
【図２】会員データベースのデータ構造を示す図である。
【図３】商品データベースのデータ構造を示す図である。
【図４】優待情報表示装置の動作を示すフローチャートである。
【図５】優待情報を表示する優待情報画面の例を示す図である。
【発明を実施するための形態】
【００１２】
以下、優待情報表示装置及び優待情報表示プログラムの一実施形態について、図面を用いて詳細に説明する。
【００１３】
本実施形態の優待情報表示装置は、会員に固有に割り当てられる会員ＩＤ及び商品に固有に割り当てられる商品コードを入力又は出力する入出力部と、外部装置と通信を行う通信部と、会員ＩＤごとに顧客のランクを格納する会員データベース及び商品ごとにランクごとの優待情報を格納する商品データベースを備えるサーバに、入出力部から入力した会員ＩＤを送信し、サーバが会員ＩＤに基づいて会員データベースから検索したランクを受信し、商品コード及びランクをサーバに送信し、サーバが受信した商品コードとランクに基づいて商品データベースから検索した優待情報を受信し、受信した優待情報を入出力部に出力する制御部と、を備える。
【００１４】
図１は、本実施形態の優待情報表示装置１００の構成を示すブロック図である。図１に示すように、優待情報表示装置１００は、制御部であるＣＰＵ１０１と、ＲＯＭ、ＲＡＭなどのメモリ１０２と、カメラなどの撮像部１０３Ａ、タッチパネルなどの出力部１０３Ｂを備える入出力部１０３と、フラッシュメモリ、ＳＤカードなどの不揮発性の記憶装置１０４と、外部装置と通信を行う通信部１０５と、を備える。
【００１５】
優待情報表示装置１００は、携帯電話やいわゆるスマートフォンでもよい。
【００１６】
通信部１０５は、サーバと通信できればその種類や規格は問わない。
【００１７】
優待情報表示装置１００は、通信部１０５と、通信回線網３００と、を介してサーバ２００と通信を行う。
【００１８】
サーバ２００は、制御部であるＣＰＵ２０１と、ＲＯＭ、ＲＡＭなどのメモリ２０２と、ディスプレイ、キーボード、マウスなどの入出力部２０３と、ハードディスクドライブ、フラッシュメモリなどの記憶装置２０４と、外部装置と通信を行う通信部２０５と、を備える。
【００１９】
記憶装置２０４は、会員ごとに固有に割り当てられる会員ＩＤごとに会員のランクを格納する会員データベース（以下、データベースをＤＢという。）２０４Ａと、商品ごとにランクごとの優待情報を格納する商品ＤＢ２０４Ｂと、を備える。
【００２０】
また、記憶装置２０４は優待情報表示プログラムを格納し、制御部であるＣＰＵ２０１はユーザの指示に従って、優待情報表示プログラムを記憶装置２０４から読み出し、実行する。
【００２１】
通信部２０５は、優待情報表示装置１００と通信できればその種類や規格を問わない。
【００２２】
図２は、会員ＤＢ２０４Ａのデータ構造を示す図である。図２に示すように、会員ＤＢ２０４Ａは、例えば、会員ごとに固有に割り当てられる「会員ＩＤ」と、会員ＩＤごとの顧客のランクを示す「ランク」と、を格納する。
【００２３】
会員ＤＢ２０４Ａは、顧客の氏名、住所など、顧客に関する他の情報を格納してもよい。
【００２４】
各データの例は、会員ＩＤが「００１」、ランクが「５」である。
【００２５】
図３は、商品ＤＢ２０４Ｂのデータ構造を示す図である。図３に示すように、商品ＤＢ２０４Ｂは、商品ごとに固有に割り当てられる「商品コード」と、商品の名称である「商品名」と、顧客のランクを示す「ランク」と、当該商品を購入した場合に付与されるポイントである「ポイント」と、当該商品の「通常価格」と、当該商品のランクごとの「優待価格」と、当該商品の画像の格納場所及び名前を示す「画像」と、を格納する。
【００２６】
商品ＤＢ２０４Ｂは、上述のデータ以外の項目を格納していてもよい。
【００２７】
各データの例は、商品コードが「１２３４５６」、商品名が「缶コーヒー」、ランクが「５」、通常価格が「１２０」、優待価格が「１００」、商品画像が「Ｄ：￥画像￥１２３４５６」である。
【００２８】
図４は、優待情報表示装置１００の動作を示すフローチャートである。図４に示すように、ステップ４０１において、優待情報表示装置１００は、会員ＩＤを入力する。この入力は、磁気カードの場合は磁気カードリーダによって、無線タグを有するカードの場合は無線タグリーダライタによって、単なるカードの場合は手入力によって、行われるが、入力方法はこれらに限られるものではない。
【００２９】
ステップ４０２において、優待情報表示装置１００は、入力した会員ＩＤをサーバ２００に送信する。
【００３０】
ステップ４０３において、サーバは会員ＩＤを優待情報表示装置１００から受信する。
【００３１】
ステップ４０４において、サーバは、受信した会員ＩＤに基づいて会員ＤＢ２０４Ａを検索し、当該会員ＩＤのランクを読み出す。
【００３２】
ステップ４０５において、サーバ２００は読み出したランクを優待情報表示装置１００に送信する。
【００３３】
ステップ４０６において、優待情報表示装置１００はサーバ２００からランクを受信する。
【００３４】
ステップ４０７において、優待情報表示装置１００は商品コードを入力する。この入力は、商品に記載されているバーコードを撮像装置１０３Ａによって撮像し、このバーコードを優待情報表示装置１００が備えるデコーダによってデコードすることにより、または入出力部１０３からの手入力により、行われる。
【００３５】
ステップ４０８において、優待情報表示装置１００は、商品コードをサーバ２００にランクとともに送信する。
【００３６】
ステップ４０９において、サーバ２００は、商品コードとランクを受信する。
【００３７】
ステップ４１０において、サーバ２００は、受信した商品コードとランクに基づいて商品ＤＢ２０４Ｂを検索し、優待価格、ポイントなどの優待情報を読み出す。優待情報はこのほか、キャンペーン情報などを含んでいてもよい。
【００３８】
ステップ４１１において、サーバ２００は、読み出した優待情報を優待情報表示装置１００に送信する。
【００３９】
ステップ４１２において、優待情報表示装置１００は、優待情報をサーバ２００から受信する。
【００４０】
ステップ４１３において、優待情報表示装置１００は、優待情報を入出力部１０３に表示する。
【００４１】
ステップ４１４において、優待情報表示装置１００は次の商品コードの入力があったかを判定する。優待情報表示装置１００は次の商品コードの入力があったと判定した場合、ステップ４０７に戻り、次の商品コードの入力がない場合、或いは終了を示す入力があった場合、ステップ４１５に進む。
【００４２】
ステップ４１５において、優待情報表示装置１００はサーバ２００に終了信号を送信して処理を終了する。
【００４３】
ステップ４１６において、サーバ２００は終了信号を受信したかを判定する。サーバ２００は終了信号を受信したと判定した場合、処理を終了し、終了信号を受信していないと判定した場合、ステップ４０９に戻る。
【００４４】
図５は、優待情報を表示する優待情報画面５０１の例を示す図である。図５に示すように、優待情報表示装置１００は優待情報を表示する優待情報画面５０１を入出力部１０３に表示する。
【００４５】
優待情報画面５０１は、会員ＩＤ、ランク、商品コード、商品名、通常価格、優待価格、ポイントなどを表示する。
【００４６】
優待情報表示装置１００は、優待情報画面５０１に優待情報とともに画像を表示してもよい。この画像は、例えば商品の画像であるが、これに限られるものではない。
【００４７】
以上述べたように、本実施形態の優待情報表示装置１００は、会員に固有に割り当てられる会員ＩＤ及び商品に固有に割り当てられる商品コードを入力又は出力する入出力部１０３と、外部装置と通信を行う通信部１０５と、会員ＩＤごとに顧客のランクを格納する会員ＤＢ２０４Ａ及び商品ごとにランクごとの優待情報を格納する商品ＤＢ２０４Ｂを備えるサーバ２００に、入出力部１０３から入力した会員ＩＤを送信し、サーバ２００がこの会員ＩＤに基づいて会員ＤＢ２０４Ａから検索したランクを受信し、商品コード及びこのランクをサーバ２００に送信し、サーバ２００が受信した商品コードとランクに基づいて商品ＤＢ２０４Ｂから検索した優待情報を受信し、受信した優待情報を入出力部１０３に出力する制御部と、を備える。
【００４８】
従って、安価かつ効率よく顧客のランクに応じた優待価格を顧客に通知できるという効果がある。
【００４９】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５０】
１００：優待情報表示装置
１０３Ａ：撮像装置
２００：サーバ
２０４Ａ：会員データベース
２０４Ｂ：商品データベース
【図１】
2014115759.tif 000003
【図２】
2014115759.tif 000004
【図３】
2014115759.tif 000005
【図４】
2014115759.tif 000006
【図５】
2014115759.tif 000007